(57)【要約】【課題】ビスを使用しないで配線基板を簡単かつ確実にシャーシに取付け可能とし、面倒なビス止め工程を不要にすると共にビス代を削減して、製造コストの低減を達成できるようにした電子機器を提供する。【解決手段】基板押え片５ｂと基板支持片５ｃとを備えた切り起こし部５をシャーシ２に設ける一方、配線基板３に開口３ａを形成し、切り起こし部５を配線基板の開口３ａに挿入すると共に、配線基板３を横方向に移動させて配線基板の開口縁部３ｂを基板押え片５ｂと基板支持片５ｃとの間に挟み込み、配線基板３の端部を当止部材２５で当止した構成の電子機器とする。切り起こし部５の基板押え片５ｂと基板支持片５ｃによって配線基板３の上下方向の動きが止められ、当止部材２５で配線基板３の横方向の動きが止められるので、ビスを使用しなくても簡単かつ確実に配線基板３をシャーシ２に取付けることができる。【選択図】図１
2010141106.tif 000002
【特許請求の範囲】
【請求項１】
板金製のシャーシと、このシャーシに取付けられる配線基板とを少なくとも具備した電子機器において、
配線基板の上面を押える基板押え片と配線基板の下面を支持する基板支持片とを備えた切り起こし部をシャーシに設ける一方、配線基板に開口を形成し、シャーシの切り起こし部を配線基板の開口に挿入すると共に、配線基板を横方向に移動させて配線基板の開口縁部を切り起こし部の基板押え片と基板支持片との間に挟み込み、配線基板の開口縁部が切り起こし部の基板押え片と基板支持片との間から外れないように配線基板の端部を当止部材で当止したことを特徴とする電子機器。
【請求項２】
切り起こし部をシャーシの底板に設けたことを特徴とする請求項１に記載の電子機器。
【請求項３】
切り起こし部をシャーシの蓋板に設けたことを特徴とする請求項１に記載の電子機器。
【請求項４】
切り起こし部が、シャーシの底板を上方に９０°切り起こして形成した起立片と、起立片の上部を横向きに９０°折り曲げて形成した基板押え片と、起立片の中間部を横向きに９０°切り起こして形成した基板支持片とからなるものであることを特徴とする請求項２に記載の電子機器。
【請求項５】
切り起こし部が、シャーシの蓋板を下方に９０°切り起こして形成した垂下片と、垂下片の下部を横向きに９０°折り曲げて形成した基板支持片と、垂下片の中間部を横向きに９０°切り起こして形成した基板押え片とからなるものであることを特徴とする請求項３に記載の電子機器。
【請求項６】
切り起こし部の基板押え片と基板支持片との間隔を配線基板の厚みよりも僅かに小さくしたことを特徴とする請求項１ないし請求項５のいずれかに記載の電子機器。
【請求項７】
切り起こし部の基板押え片の先端に斜め上方に屈曲もしくは湾曲するガイド片を設けるか、又は、切り起こし部の基板支持片の先端に斜め下方に屈曲もしくは湾曲するガイド片を設けるか、又は、切り起こし部の基板押え片と基板支持片の先端に、斜め上方に屈曲もしくは湾曲するガイド片と斜め下方に屈曲もしくは湾曲するガイド片を設けたことを特徴とする請求項１ないし請求項６のいずれかに記載の電子機器。
【請求項８】
配線基板の端部を外側から押える凸部を当止部材に設けたことを特徴とする請求項１に記載の電子機器。
【請求項９】
当止部材がシャーシの後側板であることを特徴とする請求項１又は請求項８に記載の電子機器。
【発明の詳細な説明】
【技術分野】
【０００１】
本発明は電子機器に関し、特に、シャーシに対する配線基板の取付方を改良した電子機器に関する。
【背景技術】
【０００２】
板金製のシャーシと、該シャーシに取付けられる配線基板とを少なくとも備えた従来のＤＶＤ等の電子機器は、通常、ビスを用いて配線基板をシャーシに取付けている。
【０００３】
一方、シャーシの板金に切り起こし爪を設け、この切り起こし爪にフロントパネル、前面基板、セット足などを固定するようにした板金シャーシが提案されている（特許文献１）。
【特許文献１】特開２０００−３２３８５７号公報
【発明の開示】
【発明が解決しようとする課題】
【０００４】
しかしながら、従来の電子機器のように、ビスで配線基板をシャーシに取付ける場合は、ビス止め作業が面倒で手間がかかり、作業工数が増えるだけでなく、ビス止め箇所が多くなるとビス代も嵩むので、コストアップを招くなどの問題があった。
【０００５】
一方、前記特許文献１の板金シャーシの場合は、一応、ビスを省略することが可能である。けれども、この板金シャーシに設けられた切り起こし爪は単なる突片状のものであり、フロントパネルや前面基板などを切り起こし爪に取付ける具体的な構造が開示されていないため、どのような取付方をすれば、フロントパネルや前面基板などを脱落しないように確実に切り起こし爪に固定できるのかが不明であり、おそらく、このような突片状の切り起こし爪では、フロントパネルや前面基板などを脱落しないように確実に取付けることが難しいと思われる。
【０００６】
本発明は上記事情の下になされたもので、その解決しようとする課題は、ビスを用いないで配線基板を簡単かつ確実にシャーシに取付け可能とし、面倒なビス止め工程を不要にすると共にビス代を削減して、製造コストの低減を達成できるようにした電子機器を提供することにある。
【課題を解決するための手段】
【０００７】
上記課題を達成するため、本発明に係る電子機器は、板金製のシャーシと、このシャーシに取付けられる配線基板とを少なくとも具備した電子機器において、配線基板の上面を押える基板押え片と配線基板の下面を支持する基板支持片とを備えた切り起こし部をシャーシに設ける一方、配線基板に開口を形成し、シャーシの切り起こし部を配線基板の開口に挿入すると共に、配線基板を横方向に移動させて配線基板の開口縁部を切り起こし部の基板押え片と基板支持片との間に挟み込み、配線基板の開口縁部が切り起こし部の基板押え片と基板支持片との間から外れないように配線基板の端部を当止部材で当止したことを特徴とするものである。
【０００８】
本発明の電子機器においては、切り起こし部をシャーシの底板に設けてもよいし、切り起こし部をシャーシの蓋板に設けてもよい。そして、シャーシの底板に設ける切り起こし部は、シャーシの底板を上方に９０°切り起こして形成した起立片と、起立片の上部を横向きに９０°折り曲げて形成した基板押え片と、起立片の中間部を横向きに９０°切り起こして形成した基板支持片とからなるものであることが望ましく、また、シャーシの蓋板に設ける切り起こし部は、シャーシの蓋板を下方に９０°切り起こして形成した垂下片と、垂下片の下部を横向きに９０°折り曲げて形成した基板支持片と、垂下片の中間部を横向きに９０°切り起こして形成した基板押え片とからなるものであることが望ましい。
【０００９】
更に、本発明の電子機器においては、切り起こし部の基板押え片と基板支持片との間隔を配線基板の厚みよりも僅かに小さくすることが望ましい。そして、切り起こし部の基板押え片の先端に斜め上方に屈曲もしくは湾曲するガイド片を設けるか、又は、切り起こし部の基板支持片の先端に斜め下方に屈曲もしくは湾曲するガイド片を設けるか、又は、切り起こし部の基板押え片と基板支持片の先端に、斜め上方に屈曲もしくは湾曲するガイド片と斜め下方に屈曲もしくは湾曲するガイド片を設けることが望ましい。
【００１０】
また、本発明の電子機器においては、配線基板の端部を外側から押える凸部を当止部材に設けることが望ましく、当止部材はシャーシの後側板であることが望ましい。
【発明の効果】
【００１１】
本発明の電子機器では、シャーシに設けられた切り起こし部の基板押え片と基板支持片との間に配線基板の開口縁部が挟み込まれるので、配線基板の上下方向の動きが止められ、かつ、当止部材によって配線基板の開口縁部が切り起こし部の基板押え片と基板支持片との間から外れないように当止されるので、配線基板の横方向の動きも止められる。このように、本発明の電子機器では、シャーシに設けた切り起こし部と当止部材によって配線基板を簡単かつ確実に固定できるため、面倒なビス止め工程が不要となり、ビス代を削減して製造コストの低減を達成することができる。
【００１２】
切り起こし部を設けるシャーシの部位は特に限定されないが、例えば、配線基板をシャーシの内側下部に取付けて該配線基板の上側にＤＶＤのディスク装置本体等を設置するような場合には、前記のように切り起こし部をシャーシの底板に設けることが望ましく、これとは逆に、シャーシの内側下部にＤＶＤのディスク装置本体等を設置して該ディスク装置本体の上側に配線基板を取付けるような場合には、前記のように切り起こし部をシャーシの蓋板に設けることが望ましい。
【００１３】
切り起こし部の形状は特に限定されないが、シャーシの底板に設ける切り起こし部が、前記のようにシャーシの底板を上方に９０°切り起こして形成した起立片と、起立片の上部を横向きに９０°折り曲げて形成した基板押え片と、起立片の中間部を横向きに９０°切り起こして形成した基板支持片とからなるものであると、配線基板の開口縁部を基板押え片と基板支持片との間に挟み込んで配線基板を取付けたときに、切り起こし部が配線基板の上方に突き出さないので、配線基板の上側にディスク装置本体等を設置するときに切り起こし部が邪魔になるような不都合は生じない。同様に、シャーシの蓋板に設ける切り起こし部が、前記のようにシャーシの蓋板を下方に９０°切り起こして形成した垂下片と、垂下片の下部を横向きに９０°折り曲げて形成した基板支持片と、垂下片の中間部を横向きに９０°切り起こして形成した基板押え片とからなるものであると、配線基板を取付けたときに切り起こし部が配線基板の下方に突き出さないので、配線基板の下側のディスク装置本体等に切り起こし部が当たるような不都合は生じない。
【００１４】
また、切り起こし部の基板押え片と基板支持片との間隔を配線基板の厚みよりも僅かに小さくしてあると、基板押え片と基板支持片によって配線基板の開口縁部を上下から挟圧した状態で配線基板をガタツキなく固定することができる。そして、基板押え片の先端に斜め上方に屈曲もしくは湾曲するガイド片を設けるか、又は、基板支持片の先端に斜め下方に屈曲もしくは湾曲するガイド片を設けるか、又は、基板押え片と基板支持片の双方の先端に、斜め上方に屈曲もしくは湾曲するガイド片と斜め下方に屈曲もしくは湾曲するガイド片を設けると、これらのガイド片によって配線基板の開口縁部を基板押え片と基板支持片との間に容易に挟み込むことができるので、配線基板の取付作業性が一層向上することになる。
【００１５】
更に、本発明の電子機器において、シャーシの後側板を当止部材として兼用すると、他の当止部材が不要となり、コストを更に低減することができる。そして、当止部材に凸部が設けられていると、該凸部によって配線基板の端部を集中的に押さえることができる。
【発明を実施するための最良の形態】
【００１６】
以下、図面を参照して本発明の具体的な実施形態を詳述する。
【００１７】
図１は本発明の一実施形態に係る電子機器の概略説明図、図２は同電子機器に組み込まれるシャーシを、その前側板と後側板と蓋板を省略して示す斜視図、図３は同シャーシに設けた切り起こし部の斜視図、図４の（ａ），（ｂ），（ｃ），（ｄ）は同シャーシに配線基板を取付ける要領を順次説明するための部分断面図、図５は異なる形状の切り起こし部を示す断面図である。
【００１８】
図１はＤＶＤ等の電子機器を模式的に示すもので、１はキャビネットであり、このキャビネットの内部には板金製のシャーシ２が設けられている。このシャーシ２は、方形の底板２１と、左右の側板２２，２３と、前後の側板２４，２５と、蓋板（図１では省略されている）とで構成されたものであって、左右の側板２２，２３は、図２に示すように底板２１の左右両側部を上方に９０°折り曲げて形成されており、前後の側板２４，２５は、ビスで後付けされるようになっている。そして、このシャーシ２の内側下部には配線基板３が取付けられており、この配線基板３の上側にはディスク装置本体４等が設置されている。
【００１９】
図２に示すように、シャーシ２の底板２１の四隅付近には、配線基板を取付けるための切り起こし部５が設けられている。この切り起こし部５は、図３に示すように、シャーシ２の底板２１を上方に９０°切り起こして形成した起立片５ａと、この起立片５ａの上部を横向きに９０°折り曲げて形成した基板押え片５ｂ（配線基板３の上面を押える基板押え片）と、この起立片５ａの中間部を横向きに９０°切り起こして形成した基板支持片５ｃ（配線基板３の下面を支持する基板支持片）とを備えたものであって、基板押え片５ｂと基板支持片５ｃとの間のコ字形空間５ｄには、図４の（ｄ）に示すように配線基板３の開口縁部３ｂが挟み込まれるようになっている。なお、図３において、２１ａはシャーシ２の後側板２５を底板２１にビス止めするためのビス穴である。
【００２０】
この切り起こし部５の基板押え片５ｂと基板支持片５ｃとの間隔ａは、配線基板３の開口縁部３ｂを挟み込んだときに上下にガタツキなく挟圧状態で固定できるように、配線基板３の厚みよりも僅かに小さく設定されている。そして、この開口縁部３ｂの挟み込み作業をし易くするために、斜め下方に屈曲するガイド片５ｅが基板支持片５ｃの先端に形成されている。このガイド片５ｅは斜め下方に湾曲する形状のものでもよい。
【００２１】
また、図５に示す切り起こし部５のように、基板押え片５ｂと基板支持片５ｃの双方の先端に、斜め上方に屈曲（もしくは湾曲）するガイド片５ｆと斜め下方に屈曲（もしくは湾曲）するガイド片５ｅを設けたり、基板押え片５ｂの先端にのみ斜め上方へ屈曲（もしくは湾曲）するガイド片５ｆを設けてもよい。基板押え片５ｂと基板支持片５ｃの双方にガイド片５ｆ，５ｅを設ける場合は、配線基板３の開口縁部３ｂの挟み込み作業が一層し易くなる利点があるので好ましい。
【００２２】
一方、配線基板３は、前記切り起こし部５に対応して、四隅付近に基板押え片５ｂよりも面積が僅かに大きい方形の開口３ａが形成されており、この開口３ａと前記の切り起こし部５を利用して以下の要領でシャーシ２の内側下部に取付けられている。
【００２３】
まず、図４の（ａ）に示すように、シャーシ２の底板２１の上方に配線基板３を配置して、配線基板３の開口３ａと切り起こし部５の基板押え片５ｂの位置を合わせ、図４の（ｂ）に示すように、配線基板３の開口３ａを切り起こし部５の上部に嵌めて、切り起こし部５の上部を配線基板３の開口３ａに挿入する。そして、図４の（ｃ）に示すように、配線基板３を横方向（矢印方向）に移動させ、配線基板３の開口縁部３ｂを基板押え片５ｂと基板支持片５ｃとの間のコ字形空間５ｄに挟み込んで、配線基板３の上下方向の動きを止める。次いで、図４の（ｄ）に示すように、凸部２５ａを絞り加工で形成したシャーシの後側板２５を当止部材として使用し、この後側板２５をシャーシの底板２１のビス穴２１ａにビス止めして、配線基板３の開口縁部３ｂが基板押え片５ｂと基板支持片５ｃとの間のコ字形空間５ｄから外れないように、配線基板３の端部を後側板２５の凸部２５ａで後方から当止し、配線基板３の開口縁部３ｂから後端部に至る部分を後側板２５の凸部２５ａと切り起こし部５の起立片５ａとで挟んで、配線基板３を横方向（前後方向）にも動かないように取付ける。
【００２４】
上記のように、この実施形態の電子機器では、シャーシ２の底板２１に設けた切り起こし部５と、当止部材の役目を果たす後側板２５によって、配線基板３を簡単かつ確実に固定できるため、従来の面倒なビス止め工程が不要となり、ビス代を削減して製造コストの低減を達成することができる。また、切り起こし部５が配線基板３の上方に突き出さないので、配線基板３の上側にディスク装置本体４等を設置するときに、切り起こし部５が邪魔になるような不都合を生じることもない。しかも、切り起こし部５の基板押え片５ｂと基板支持片５ｃとの間隔ａが配線基板３の厚みよりも僅かに小さく設定されているので、配線基板３をガタツキなく固定できる。そして、基板支持片５ｃの先端に斜め下方に屈曲（もしくは湾曲）するガイド片５ｅが形成されているので、配線基板３の開口縁部３ｂを基板押え片５ｂと基板支持片５ｃとの間のコ字形空間５ｄに挟み込む作業がし易くなり、配線基板３の取付作業性が一層向上するようになる。また、シャーシの後側板２５を当止部材として兼用するため、他の当止部材が不要となり、コストを更に低減することが可能となる。
【００２５】
なお、切り起こし部５は上記形状のみに限定されるものではなく、例えば、図６に示すように、右側と左側で高さが異なる起立片５０ａをシャーシ２の底板２１から上方に９０°切り起こし、起立片５０ａの高い方の上部を横方向に９０°折り曲げて基板押え片５ｂを形成すると共に、起立片５０ａの低い方の上部を横方向に９０°折り曲げて基板支持片５ｃを形成したものでよい。要するに、切り起こし片５は、配線基板３の上面を押える基板押え片５ｂと、配線基板３の下面を支持する基板支持片５ｃとを備えたものであれば、どのような形状でもよい。
【００２６】
以上の実施形態は、シャーシ２の内側下部に配線基板３を取付け、その上にディスク装置本体４等を設置する場合を示したものであるが、これとは逆に、シャーシ２の内側下部にディスク装置本体４等を設置し、その上側に配線基板を取付けるような場合には、図７に示すように、シャーシの蓋板２６に切り起こし部５を設け、この切り起こし部５に配線基板３を取付けることが望ましい。
【００２７】
蓋板２６に設ける切り起こし部５は、図７に示すようにシャーシの蓋板２６を下方に９０°切り起こして形成した垂下片５ｇと、この垂下片５ｇの下部を横向きに９０°折り曲げて形成した基板支持片５ｃと、この垂下片５ｇの中間部を横向きに９０°切り起こして形成した基板押え片５ｂとからなるものが好ましく、前記の切り起こし部５と同様に、基板押え片５ｂと基板支持片５ｃとの間隔が配線基板３の厚みよりも僅かに小さく、斜め上方に屈曲（もしくは湾曲）するガイド片５ｆが基板押え片５ｂの先端に形成されているものが特に好ましい。
【００２８】
上記のようにシャーシの蓋板２６に切り起こし部５を設けて配線基板３を取付ける場合は、配線基板３の開口３ａに切り起こし部５の下部を挿入し、配線基板３を横方向に移動させて、配線基板３の開口縁部３ｂを基板押え片５ｂと基板支持片５ｃとの間のコ字形空間５ｄに挟み込み、シャーシに蓋板２６を被せた後、凸部２５ａを形成したシャーシの後側板２５を当止部材としてシャーシにビス止めして、配線基板３の開口縁部３ｂがコ字形空間５ｄから外れないように、後側板２５の凸部２５ａで配線基板３の後端を後方から当止することにより、簡単かつ確実に配線基板３を取付けることができる。従って、面倒なビス止め工程が不要となり、ビス代を削減して製造コストの低減を達成することができる。
【図面の簡単な説明】
【００２９】
【図１】本発明の一実施形態に係る電子機器の概略説明図である。
【図２】同電子機器に組み込まれるシャーシを、その前側板と後側板と蓋板を省略して示す斜視図である。
【図３】同シャーシに設けた切り起こし部の斜視図である。
【図４】（ａ），（ｂ），（ｃ），（ｄ）は同シャーシに配線基板を取付ける要領を順次説明するための部分断面図である。
【図５】異なる形状の切り起こし部を示す断面図である。
【図６】更に異なる形状の切り起こし部を示す斜視図である。
【図７】シャーシの蓋板に設けた切り起こし部の断面図である。
【符号の説明】
【００３０】
２    シャーシ
２１  シャーシの底板
２５  シャーシの後側板
２５ａ  後側板の凸部
２６  シャーシの蓋板
３    配線基板
３ａ  開口
３ｂ  開口縁部
５    切り起こし部
５ａ，５０ａ  起立片
５ｂ  基板押え片
５ｃ  基板支持片
５ｄ  コ字形空間
５ｅ  斜め下方に屈曲するガイド片
５ｆ  斜め上方に屈曲するガイド片
５ｇ  垂下片
ａ    基板押え片と基板支持片との間隔
【図１】
2010141106.tif 000003
【図２】
2010141106.tif 000004
【図３】
2010141106.tif 000005
【図４】
2010141106.tif 000006
【図５】
2010141106.tif 000007
【図６】
2010141106.tif 000008
【図７】
2010141106.tif 000009